(57)【要約】【課題】一対のコネクタを嵌合接続する際に生じる誤差を良好に吸収できるコネクタを提供する。【解決手段】基板Ａに固定された第１コネクタ１０と、第１コネクタ１０と嵌合接続して第１コネクタ１０に対して可動に設けられた第２コネクタ２０とから構成されるコネクタ１であって、第２コネクタ２０は、第１コネクタ１０と嵌合接続するインナーパーツ２１と、インナーパーツ２１を第１コネクタ１０との嵌合方向に対して直角な面内において変位可能に保持するアウターパーツ２２とを備えて構成されている。【選択図】  図１
2004327270.tif 000002
【特許請求の範囲】
【請求項１】
基板に固定された第１コネクタと、前記第１コネクタと嵌合接続して前記第１コネクタに対して可動に設けられた第２コネクタとから構成されるコネクタであって、
前記第２コネクタは、前記第１コネクタと嵌合接続するインナーパーツと、前記インナーパーツを前記第１コネクタとの嵌合方向に対して直角な面内において変位可能に保持するアウターパーツとを備えて構成されていることを特徴とするコネクタ。
【請求項２】
前記インナーパーツの外壁には、前記第１コネクタとの嵌合方向に挿入溝が形成され、
前記アウターパーツの内壁には、弾性変形することにより前記挿入溝と当接して前記インナーパーツを挟持する係止部が形成されていることを特徴とする請求項１に記載のコネクタ。
【請求項３】
前記係止部は、一端が前記アウターパーツの上縁部に固定され、他端が前記アウターパーツの中心部に向かって傾斜して前記第１コネクタと前記第２コネクタとが嵌合接続する際に前記挿入溝と当接するように、前記アウターパーツが切り欠かれて形成されていることを特徴とする請求項１又は２に記載のコネクタ。
【発明の詳細な説明】
【０００１】
【発明の属する技術分野】
本発明は、基板に対し可動に設けられたコネクタに関する。
【０００２】
【従来の技術】
例えば、従来、コイン（メダル等を含む）を遊技媒介として作動する遊技機には、その内部に、コイン払出装置等の外部装置を有しているものがある。このような外部装置は、故障や寿命及びメンテナンス等による交換を考慮して、コネクタを介して（すなわち、遊技機に設けられたコネクタと外部装置に設けられたコネクタとを電気的に嵌合接続して）遊技機から着脱可能に取り付けられているものがある。（例えば、特許文献１を参照）。
【０００３】
【特許文献１】
特開平９−７０４６８号公報
【０００４】
【発明が解決しようとする課題】
しかしながら、上記の遊技機に設けられたコネクタや外部装置に設けられたコネクタは、それぞれ位置誤差を有している。このため、外部装置を遊技機に取り付ける際に、一方のコネクタと他方のコネクタとの間に位置ずれが生じ、それらを嵌合接続することが困難になるおそれがある。
【０００５】
本発明は、このような問題に鑑みて、一対のコネクタを嵌合接続する際に生じる位置誤差を良好に吸収できるコネクタを提供することを目的とする。
【０００６】
【課題を解決するための手段】
上記の目的を達成するために、本発明は、基板に固定された第１コネクタと、第１コネクタと嵌合接続して前記第１コネクタに対して可動に設けられた第２コネクタとから構成されるコネクタであって、第２コネクタは、第１コネクタと嵌合接続するインナーパーツと、インナーパーツを第１コネクタとの嵌合方向に対して直角な面内において変位可能に保持するアウターパーツとを備えて構成されている。
【０００７】
このような構成により、第１コネクタと第２コネクタのインナーパーツとが嵌合接続する際に生じる位置誤差を、該インナーパーツを保持するアウターパーツが（第１コネクタとの嵌合方向に対して直角な面内において）変位することにより、良好に吸収することができる。
【０００８】
また、インナーパーツの外壁には、第１コネクタとの嵌合方向に挿入溝が形成され、アウターパーツの内壁には、弾性変形することにより挿入溝と当接してインナーパーツを挟持する係止部が形成されているように構成してもよい。
【０００９】
このような構成により、アウターパーツの係止部が弾性変形してインナーパーツの挿入溝と接触してするため、第１コネクタと第２コネクタとが嵌合接続する際に生じる位置誤差に対して柔軟に対応することができる。また、アウターパーツを弾性変形させることにより、第１コネクタと第２コネクタとの嵌合接続を解除すること、すなわち着脱可能に構成することができる。
【００１０】
また、係止部は、一端がアウターパーツの上縁部に固定され、他端がアウターパーツの中心部に向かって傾斜して第１コネクタと第２コネクタとが嵌合接続する際に挿入溝と当接するように、アウターパーツが切り欠かれて形成されているように構成してもよい。
【００１１】
このような構成により、アウターパアーツは（例えば樹脂等を用いて）射出成形が可能となるため、製造コストを抑えることが可能である。
【００１２】
【発明の実施の形態】
以下、本発明の好ましい実施形態について図１〜６を参照して説明する。本発明のコネクタ１は、取り付け位置等の誤差を吸収し得る機能を備えたいわゆるフローティングコネクタであり、図１に示すように、第１コネクタ１０と、第１コネクタと嵌合接続する第２コネクタ２０とから構成され、互いに略直交をなす一対の基板Ａ，Ｂに取り付けられている。具体的には、上方側の基板Ａの側面には（取付ねじ１５によって）第１コネクタ１０が固定され、下方側の基板Ｂの上面には第２コネクタ２０が固定されている。
【００１３】
第１コネクタ１０のハウジング１１には、図２にも示すように、第１接続部１２が上下方向に延びて複数列にわたって突設されており、この第１接続部１２は（第１コネクタ１０と第２コネクタ２０とが嵌合接続する際に）第２コネクタ２０に形成されたピン収容溝２１ｂに挿入されるようになっている。第１接続部１２は、第２コネクタ２０のピン収容溝２１ｂに挿入された際に後述するピン２３が挿入されるピン受容部１２ａと、一端がピン受容部１２ａと接続し他端が基盤Ａ側に設けられた図示しない導電路と接続している端子金具１２ｂとから構成されている。
【００１４】
第２コネクタ２０は、図３〜図５にも示すように、インナーパーツ２１と、アウターパーツ２２とから構成されている。
【００１５】
インナーパーツ２１は、略直方体の形状を有し、外壁には第１コネクタ１０との嵌合方向に挿入溝２１ａが形成されている。また、表面から上下方向に延びて複数のピン収容溝２１ｂが形成されており、このピン収容溝２１ｂの内部には上方に突設してピン２３が設けられている。また、ピン２３の端部（詳しくは、上記ピン受容部１２ａに挿入される側と反対側にある端部）には、基板Ｂに設けられた図示しない導電路と接続しているハーネス２３ｅが取り付けられている。
【００１６】
なお、本実施例ではインナーパーツ２１の形状を略直方体としたが、これに限定されるものではなく、例えば略円柱形状でもよい。
【００１７】
アウターパーツ２２は、基板Ｂに固定されて、上部が開口した箱型の形状を有し、（箱型形状の内部にて）インナーパーツ２１を第１コネクタ１０との嵌合方向に対して直角な面内において変位可能に保持している。
【００１８】
アウターパーツ２２の内壁には、弾性変形することにより、上記の挿入溝２１ａと当接してインナーパーツ２１を挟持する係止部２２ａが形成されている。この係止部２２ａは、アウターパーツ２２の側壁が切り欠かれて形成されたものであり、一端がアウターパーツ２２の上縁部２２ｂに固定され、他端がアウターパーツ２２の中心部に向かって傾斜して第１コネクタ１０と第２コネクタ２０とが嵌合接続する際に挿入溝２１ａと当接するようになっている。また、アウターパーツ２２の底面には、インナーパーツ２１のハーネス２３ｅを通すための貫通孔２２ｃが形成されている。
【００１９】
このような構成の本発明のコネクタ１において、その作用及び効果について以下に説明する。第１コネクタ１０及び第２コネクタ２０を嵌合接続させるには、基板Ａ，Ｂ同士を対面させて相互に接近させる方向に近づけ、第１コネクタ１０の第１接続部１２を、第２コネクタ２０のピン収容溝２１ｂ内に押し込む。すると、第１コネクタ１０のピン受容部１２ａの内周面と、第２コネクタ２０のピン２３が接触して、端子金具１２ｂとハーネス２３ｅとが電気接続され、両基板Ａ，Ｂに設けられた導電路が接続された状態となる。
【００２０】
このとき、コネクタ１は、例えば第１コネクタ１０と第２コネクタ２０とが嵌合接続の際に位置誤差が生じた場合、インナーパーツ２１を挟持するアウターパーツ２２が変位して、発生した位置誤差を良好に吸収することができるようになっている。具体的には、アウターパーツ２２の係止部２２ａが弾性変形してインナーパーツ２１を第１コネクタ１０との嵌合方向に対して直角な面内において変位させることにより、第１コネクタ１０と第２コネクタ２０とが嵌合接続する際に生じる位置誤差に良好に対応できるようになっている。
【００２１】
なお、本発明のコネクタは様々な機器同士を（電気的に）接続する際に用いることができる。ここで、一例として、遊技機に設けられた電源ボックスと、この図示しない遊技機内部に取り付けられているコイン払出装置とを（電気的に）接続する場合について説明する。図６に示すように、本発明のコネクタ７０は、第１コネクタ７１が電源ボックス５０に設けられている基板５１に取り付けられ、この第１コネクタ７１と嵌合接続する第２コネクタ７２がコイン払出装置６０に設けられている基板６１に取り付けられている。なお、上記の基板５１，６１は互いに略直交をなしている。また、コイン払出装置６０は、図７（ａ）に示すように、遊技機ＰＭの内部に設けられたガイドプレート５２ａ及びスライドプレート５２ｂからなるスライド機構５２により、前後方向（図中矢印Ａ）にスライド移動自在に支持されている。
【００２２】
上記のような電源ボックス５０とコイン払出装置６０を電気的に接続するときは、図７（ｂ）に示すように、コイン払出装置６０をスライド機構５２を介して遊技機ＰＭの内部へとスライド移動させ、第１コネクタ７１及び第２コネクタ７２を嵌合接続させることにより、遊技機ＰＭの電源ボックス５０からコネクタ７０を経てコイン払出装置６０に電源を供給することができる。なお、故障や寿命及びメンテナンス等による交換を行うために遊技機ＰＭの電源ボックス５０からコイン払出装置６０を着脱する場合において、（コネクタ７０が取り付けられている遊技機とコイン払出装置６０の間で）位置ずれが発生しても、本発明のコネクタ７０は、嵌合方向に対して直角な面内において変位可能であるため、この位置ずれを良好に吸収することができる。その結果、電源ボックス５０の基板５１及びコイン払出装置６１のコネクタ取り付け部に作用する応力を緩和することができる。
【００２３】
以上のような本発明のコネクタは、上記実施例に限定されるものではなく、要旨を逸脱しない範囲であれば適宜改良可能である。
【００２４】
例えば、上記の第２コネクタにおいて、インナーパーツとアウターパーツは互いに異なる材料から構成してもよい。このとき、アウターパーツに可撓性の大きい材料を用いることにより、インナーパーツを保持する係止部は弾性変形し易くなり、第１コネクタと第２コネクタとが嵌合接続する際に生じる位置誤差に対してより柔軟に対応することができる。
【００２５】
【発明の効果】
以上のように、本発明のコネクタは、基板に固定された第１コネクタと、第１コネクタと嵌合接続して前記第１コネクタに対して可動に設けられた第２コネクタとから構成されるコネクタであって、第２コネクタは、第１コネクタと嵌合接続するインナーパーツと、インナーパーツを第１コネクタとの嵌合方向に対して直角な面内において変位可能に保持するアウターパーツとを備えて構成されている。
【００２６】
このような構成により、第１コネクタと第２コネクタのインナーパーツとが嵌合接続する際に生じる誤差を、該インナーパーツを保持するアウターパーツが（第１コネクタとの嵌合方向に対して直角な面内において）変位することにより、良好に吸収することができる。
【図面の簡単な説明】
【図１】本発明に係るコネクタの第１コネクタと第２コネクタとが嵌合接続した状態を示す（部分）断面図である。但し、図１（ａ）は平面図であり、図１（ｂ）は側面図である。
【図２】本発明に係る第１コネクタの構成を示す図である。但し、図２（ａ）は平面図であり、図２（ｂ）は正面図であり、図２（ｃ）は側面図である。
【図３】本発明に係る第２コネクタのインナーパーツの構成を示す図である。但し、図３（ａ）は平面図であり、図３（ｂ）は正面図であり、図３（ｃ）は側面図である。
【図４】本発明に係る第２コネクタのアウターパーツの構成を示す図である。但し、図４（ａ）は平面図であり、図４（ｂ）は正面図であり、図４（ｃ）は側面図である。
【図５】本発明に係る第２コネクタの構成を示す図である。但し、図５（ａ）及び（ｃ）は平面図であり、図５（ｂ）は図５（ａ）の矢印Ｖｂ−Ｖｂにおける断面図であり、図５（ｄ）は図５（ｃ）の矢印Ｖｄ−Ｖｄにおける断面図である。
【図６】本発明に係るコネクタの使用例を示す図である。
【図７】本発明に係るコネクタの使用例を示す図である。
【符号の説明】
１      コネクタ
１０    第１コネクタ
１１    ハウジング
１２    第１接続部
１２ａ  ピン受容体
１２ｂ  端子金具
１５    取付ねじ
２０    第２コネクタ
２１    インナーパーツ
２１ａ  挿入溝
２１ｂ  ピン収容溝
２３    ピン
２３ｅ  ハーネス
２２    アウターパーツ
２２ａ  係止部
２２ｂ  上縁部
２２ｃ  貫通孔
Ａ，Ｂ  基板
【図１】
2004327270.tif 000003
【図２】
2004327270.tif 000004
【図３】
2004327270.tif 000005
【図４】
2004327270.tif 000006
【図５】
2004327270.tif 000007
【図６】
2004327270.tif 000008
【図７】
2004327270.tif 000009